【手続補正書】
【提出日】平成27年3月13日(2015.3.13)
【手続補正１】
【補正対象書類名】特許請求の範囲
【補正対象項目名】全文
【補正方法】変更
【補正の内容】
【特許請求の範囲】
【請求項１】
売上情報を管理する売上管理装置であって、
売上の改善提案に対して、その改善前の改善前情報と、その改善後の改善後情報と、を対応付けて記憶手段に記憶するよう制御する第１制御手段と、
前記改善提案に対する売上情報を時系列で取得する取得手段と、
前記取得手段で取得された前記時系列の売上情報に基づいて、前記改善提案を成功事例と失敗事例とに分類し、当該改善提案に対応付けて記憶するよう制御する第２制御手段と、
前記成功事例または前記失敗事例を条件として検索された前記改善提案における前記改善前情報と前記改善後情報とを前記記憶手段から読み出して出力する出力手段と、
を具備したことを特徴とする売上管理装置。
【請求項２】
前記第２制御手段は、前記商品の売上情報を所定基準値と比較することで、当該商品に対する前記改善提案が成功したか否かを判別し、成功したと判別された際に前記成功事例として分類し、成功しないと判別された際に前記失敗事例として分類する、
ことを特徴とする請求項１に記載の売上管理装置。
【請求項３】
前記成功事例または前記失敗事例が条件として検索要求された際は、複数の前記改善提案の内で、前記成功事例として分類記憶された改善提案、または前記失敗事例として分類記憶された改善提案を検索する検索手段と、
を更に具備し、
前記出力手段は、前記検索手段で検索された改善提案における前記改善前情報と前記改善後情報とを出力する、
ことを特徴とする請求項１又は２に記載の売上管理装置。
【請求項４】
前記記憶手段は、前記改善提案に関する属性情報を、当該改善提案に対応する前記改善前情報と前記改善後情報と共に対応付けて記憶し、
前記検索手段は、複数の属性情報の内で所望する属性情報の改善提案における前記成功事例または前記失敗事例が条件として検索要求された際は、複数の前記改善提案の内で、前記条件の属性情報を記憶する改善提案であって、且つ、前記成功事例として分類記憶された改善提案または前記失敗事例として分類記憶された改善提案を検索する
ことを特徴とする請求項３に記載の売上管理装置。
【請求項５】
前記改善提案は、売場におけるＰＯＰ広告に対するレイアウト変更を含む改善提案であり、前記属性情報は、その改善提案のジャンル属性、あるいは対象商品の商品属性、あるいは前記売場の売場属性、あるいは前記ＰＯＰ広告のテンプレート種別属性の情報である、
ことを特徴とする請求項４に記載の売上管理処理装置。
【請求項６】
売上情報を管理する売上管理装置であって、
売上の改善提案に対して、その改善前の改善前情報と、その改善後の改善後情報と、を対応付けて記憶手段に記憶するよう制御する第１制御手段と、
前記改善提案に対する売上情報を時系列で取得する取得手段と、
前記取得手段で取得した前記時系列の売上情報と、当該改善提案に対応付けて前記記憶手段に記憶された前記改善後情報と前記改善前情報とを対応付けて出力する出力手段と、
を具備したことを特徴とする売上管理装置。
【請求項７】
前記取得手段で取得した前記時系列の売上情報に基づいて、当該改善提案に対する改善効果を分析する分析手段と、
を更に具備し、
前記出力手段は、前記分析手段で分析した改善効果の結果を、前記時系列の売上情報と、前記改善後情報と前記改善前情報とを対応付けて出力する、
ようにしたことを特徴とする請求項６に記載の売上管理装置。
【請求項８】
売上情報を管理する売上管理装置のコンピュータを制御するためのプログラムであって、
前記コンピュータを、
売上の改善提案に対して、その改善前の改善前情報と、その改善後の改善後情報と、を対応付けて記憶手段に記憶するよう制御する第１制御手段、
前記改善提案に対する売上情報を時系列で取得する取得手段、
前記取得手段で取得された前記時系列の売上情報に基づいて、前記改善提案を成功事例と失敗事例とに分類し、当該改善提案に対応付けて記憶するよう制御する第２制御手段、
前記成功事例または前記失敗事例を条件として検索された前記改善提案における前記改善前情報と前記改善後情報とを前記記憶手段から読み出して出力する出力手段、
として機能させるようにしたプログラム。
【請求項９】
売上情報を管理する売上管理装置のコンピュータを制御するためのプログラムであって、
前記コンピュータを、
売上の改善提案に対して、その改善前の改善前情報と、その改善後の改善後情報と、を対応付けて記憶手段に記憶するよう制御する第１制御手段、
前記改善提案に対する売上情報を時系列で取得する取得手段、
前記取得手段で取得した前記時系列の売上情報と、当該改善提案に対応付けて前記記憶手段に記憶された前記改善後情報と前記改善前情報とを対応付けて出力する出力手段、
として機能させるようにしたプログラム。
【手続補正２】
【補正対象書類名】明細書
【補正対象項目名】発明の名称
【補正方法】変更
【補正の内容】
【発明の名称】売上管理装置及びプログラム
【手続補正３】
【補正対象書類名】明細書
【補正対象項目名】０００１
【補正方法】変更
【補正の内容】
【０００１】
本発明は、売上管理装置及びプログラムに関する。
【手続補正４】
【補正対象書類名】明細書
【補正対象項目名】０００７
【補正方法】変更
【補正の内容】
【０００７】
本発明の課題は、売上の改善提案に対して、実際に行われた改善による効果を把握できるようにすることである。
【手続補正５】
【補正対象書類名】明細書
【補正対象項目名】０００８
【補正方法】変更
【補正の内容】
【０００８】
請求項１は、売上情報を管理する売上管理装置であって、売上の改善提案に対して、その改善前の改善前情報と、その改善後の改善後情報と、を対応付けて記憶手段に記憶するよう制御する第１制御手段と、前記改善提案に対する売上情報を時系列で取得する取得手段と、前記取得手段で取得された前記時系列の売上情報に基づいて、前記改善提案を成功事例と失敗事例とに分類し、当該改善提案に対応付けて記憶するよう制御する第２制御手段と、前記成功事例または前記失敗事例を条件として検索された前記改善提案における前記改善前情報と前記改善後情報とを前記記憶手段から読み出して出力する出力手段と、 を具備したことを特徴とする。
【手続補正６】
【補正対象書類名】明細書
【補正対象項目名】０００９
【補正方法】変更
【補正の内容】
【０００９】
請求項６は、売上情報を管理する売上管理装置であって、売上の改善提案に対して、その改善前の改善前情報と、その改善後の改善後情報と、を対応付けて記憶手段に記憶するよう制御する第１制御手段と、前記改善提案に対する売上情報を時系列で取得する取得手段と、前記取得手段で取得した前記時系列の売上情報と、当該改善提案に対応付けて前記記憶手段に記憶された前記改善後情報と前記改善前情報とを対応付けて出力する出力手段と、を具備したことを特徴とする。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
本発明によれば、売上の改善提案に対して、実際に行われた改善による効果を把握することが可能となる。